(57)【要約】  【課題】  利用頻度の高いユーザの利便性を向上させること。  【解決手段】  はじめに、１クリックスタートキーが押下されたか判断し、設定キーが押下された場合（Ｓ１１；Ｎ）、ユーザによる読取条件の入力がされたかを判断する（Ｓ１２）。読取条件の入力がされた場合（Ｓ１２；Ｙ）、デフォルトの条件の設定を変更する（Ｓ１３）。読取条件の入力がされない場合（Ｓ１２；Ｎ）、宛先の入力がされたかを判断し、宛先の入力がされない場合（Ｓ１４；Ｎ）、エラー表示を表示する（Ｓ１５）。宛先の入力がされた場合（Ｓ１４；Ｙ）、この宛先を送信先に設定する。スタートキーが押下された場合（Ｓ１６；Ｙ）、または、１クリックスタートキーが押下された場合（Ｓ１１；Ｙ）、原稿の読取を開始する（Ｓ１７）。画像処理を施した後、設定された宛先へ原稿の画像データを配信し（Ｓ１８）、処理を終了する。  【選択図】  図３
2007068053.tif 000002
【特許請求の範囲】
【請求項１】
端末装置とネットワークを介して接続可能なネットワークスキャナ装置であって、
特定の画像読取条件および特定の宛先情報の登録を受け付ける特定設定受付手段と、
前記特定設定受付手段により受け付けられた前記特定の画像読取条件および前記特定の宛先情報を格納する特定設定記憶手段と、
所定の専用ボタンの押下操作を認識する認識手段と、
前記認識手段により前記所定の専用ボタンの押下操作が認識された場合、前記特定設定記憶手段に格納されている前記特定の画像読取条件に基づいて原稿画像の読取処理を実行する読取手段と、
前記読取手段により読み取られた前記原稿画像のデータを、前記特定設定記憶手段に格納されている前記特定の宛先情報を送信先に指定して送信する画像送信手段と、
を備えたことを特徴とするネットワークスキャナ装置。
【請求項２】
複数の送信先のアドレス情報を格納するアドレス情報記憶手段を備え、
前記特定設定受付手段は、前記アドレス情報記憶手段に格納されている複数の送信先のアドレス情報からの選択を受け付け、
特定設定記憶手段は、受け付けた送信先のアドレス情報を前記特定の宛先情報として格納することを特徴とする請求項１記載のネットワークスキャナ装置。
【請求項３】
前記特定設定記憶手段に格納された前記特定の画像読取条件および前記特定の宛先情報を表示する特定設定表示手段を備えたことを特徴とする請求項１または請求項２記載のネットワークスキャナ装置。
【請求項４】
前記特定の宛先情報は、複数の送信先のアドレス情報からなることを特徴とする請求項１、請求項２または請求項３記載のネットワークスキャナ装置。
【請求項５】
前記認識手段は、前記所定の専用ボタンがダブルクリックされたことを認識することを特徴とする請求項１、請求項２、請求項３または請求項４記載のネットワークスキャナ装置。
【発明の詳細な説明】
【技術分野】
【０００１】
本発明は、端末装置とネットワークを介して接続可能なネットワークスキャナ装置に関する。
【背景技術】
【０００２】
近年、読み取りデータをネットワーク上のパーソナルコンピュータなどの端末装置に直接送信したり、読み取りデータをメールで送付したりすることができるネットワークスキャナ装置が普及している。
ネットワークスキャナ装置を用いて原稿の画像データを目的の宛先に配信させる場合には、次の手順によって処理が行われている。
まず、ユーザは、ネットワークスキャナ装置の原稿台に配信（送信）する原稿をセットする。
【０００３】
次に、ユーザは、原稿サイズや濃度設定などの読み取り条件を設定する。
続いて、ユーザは、メールアドレスやネットワークアドレスなどの宛先（送信先）を指定する。
これらの設定が終了した後、ユーザは、操作パネル上のスタートキーを押下して、原稿の読み取りを開始させる。
ネットワークスキャナ装置は、原稿の読み取り処理が終了した後、指定された宛先（送信先）へ原稿の画像データを配信（送信）する。
ネットワークスキャナ装置は、複数のユーザが共有することを前提としているため、画像の読み取り条件などには通常デフォルト設定（初期設定）がなされているものの、宛先（送信先）については、画像データを配信（送信）する都度入力するように構成されている。
【０００４】
ところでネットワークスキャナ装置を複数のユーザで共有して使用する場合、必ずしも全ユーザが均等な利用頻度となるとは限らない。つまり、ある特定のユーザのみが頻繁に利用するような環境も存在する。
そのような場合、ネットワークスキャナ装置のデフォルト設定を利用頻度の高い特定ユーザに合わせて設定する。
すると、この特定ユーザがそのデフォルト設定と同じ条件で使用する場合には、スタートキーを押下するのみで読み取りが可能となる。
このようにデフォルトを特定のユーザに合わせた設定とすることにより、特定のユーザに対する利便性は向上する。
【０００５】
しかしながら、宛先（送信先）までも特定のユーザに合わせてデフォルトの設定を行ってしまうと、特定のユーザ以外の通常ユーザは、宛先設定が必要なのに宛先入力を忘れてしまった場合でも、スタートキーを押下することができるため、誤ってデフォルトに設定されている宛先（送信先）へ画像データを配信してしまうおそれがある。
従来、ネットワークスキャナ装置において、上述したような画像データの誤送信の発生を抑制し、かつ、画像データを配信（送信）する度に必要な煩わしい情報の入力操作をなくして、ユーザにかかる負荷を軽減させるための技術が下記の特許文献に提案されている。
【特許文献１】特開２００１−７６０９０公報
【０００６】
特許文献１には、所定のページ（先頭ページ）に記載されている宛先個人情報および読み取り条件情報を、読み取った画像データから抽出し、これらの抽出された情報に基づいて、次頁以降の画像データの読み取り処理および画像データの送信処理を実行する技術が提案されている。
このように、読み取った画像データから必要な情報を抽出することにより、ユーザがこれらの情報を手入力する手間を省くことができる。
【発明の開示】
【発明が解決しようとする課題】
【０００７】
しかしながら、上述した特許文献１において提案されている、ユーザによる手入力を省く機能を用いる場合には、宛先個人情報および読み取り条件情報を記載した所定のページを必ず用意しなければならない。
また、ネットワークスキャナ装置には、読み取った画像データから宛先個人情報および読み取り条件情報を抽出するための文字認識装置を搭載しなければならない。
そこで本発明は、簡単な構成によって、従来どおりの操作性を維持しつつ、利用頻度の高いユーザの利便性を向上させることができるネットワークスキャナ装置を提供することを目的とする。
【課題を解決するための手段】
【０００８】
請求項１記載の発明では、端末装置とネットワークを介して接続可能なネットワークスキャナ装置であって、特定の画像読取条件および特定の宛先情報の登録を受け付ける特定設定受付手段と、前記特定設定受付手段により受け付けられた前記特定の画像読取条件および前記特定の宛先情報を格納する特定設定記憶手段と、所定の専用ボタンの押下操作を認識する認識手段と、前記認識手段により前記所定の専用ボタンの押下操作が認識された場合、前記特定設定記憶手段に格納されている前記特定の画像読取条件に基づいて原稿画像の読取処理を実行する読取手段と、前記読取手段により読み取られた前記原稿画像のデータを、前記特定設定記憶手段に格納されている前記特定の宛先情報を送信先に指定して送信する画像送信手段と、を備えることにより前記目的を達成する。
【０００９】
請求項２記載の発明では、請求項１記載の発明において、複数の送信先のアドレス情報を格納するアドレス情報記憶手段を備え、前記特定設定受付手段は、前記アドレス情報記憶手段に格納されている複数の送信先のアドレス情報からの選択を受け付け、特定設定記憶手段は、受け付けた送信先のアドレス情報を前記特定の宛先情報として格納する。
請求項３記載の発明では、請求項１または請求項２記載の発明において、前記特定設定記憶手段に格納された前記特定の画像読取条件および前記特定の宛先情報を表示する特定設定表示手段を備える。
請求項４記載の発明では、請求項１、請求項２または請求項３記載の発明において、前記特定の宛先情報は、複数の送信先のアドレス情報からなる。
請求項５記載の発明では、請求項１、請求項２、請求項３または請求項４記載の発明において、前記認識手段は、前記所定の専用ボタンがダブルクリックされたことを認識する。
【発明の効果】
【００１０】
請求項１記載の発明によれば、所定の専用ボタンの押下操作が認識された場合、登録されている特定の画像読取条件に基づいて原稿画像の読取処理を実行し、さらに読み取られた原稿画像のデータを登録されている特定の宛先情報を送信先に指定して送信することにより、ユーザは所定の専用ボタンの押下操作のみで、原稿の読取処理および画像の送信処理を行うことができるため、ユーザの作業効率を向上させることができる。
請求項２記載の発明によれば、アドレス情報記憶手段に格納されている複数の送信先のアドレス情報からの選択を受け付けることにより、特定の宛先情報の登録・変更が容易になるため、利便性を向上させることができる。
【００１１】
請求項３記載の発明によれば、特定設定表示手段を設けることにより、ユーザは、登録されている特定の画像読取条件および特定の宛先情報を、視覚的に容易に認識することができる。
請求項４記載の発明によれば、特定の宛先情報を複数の送信先のアドレス情報で構成することができるため、同一原稿画像を複数の宛先へ送信する際の作業効率を向上させることができる。
請求項５記載の発明によれば、ダブルクリックされたときに専用ボタンの押下操作を有効とすることができるため、専用ボタンの誤操作を抑制することができる。
【発明を実施するための最良の形態】
【００１２】
以下、本発明の好適な実施の形態について、図１〜図３を参照して詳細に説明する。
図１は、本実施の形態に係るネットワークスキャナ装置１００の概略構成および接続形態の一例を示した図である。
なお、本実施の形態では、ネットワークスキャナ装置１００単体について説明するが、このネットワークスキャナ装置１００は、電子複写装置やファクシミリ装置等の機能を有する複合機に搭載されていてもよい。
図１に示すように、本実施の形態に係るネットワークスキャナ装置１００は、ＣＰＵ（中央演算処理装置）１０１、ＲＯＭ（リード・オンリ・メモリ）１０２、ＲＡＭ（ランダム・アクセス・メモリ）１０３、操作部１０４、画像読み取り部１０５、画像処理部１０６およびネットワークＩ／Ｆ（インターフェース）１０７を備えている。これらの各ブロック（主要部）は、バスラインを介して互いに接続されている。
【００１３】
また、ネットワークスキャナ装置１００は、ネットワークＩ／Ｆ１０７に接続されたＬＡＮ（ローカル・エリア・ネットワーク）等のネットワーク１０８を介して、複数のＰＣ端末装置１０９に接続されている。
本実施の形態に係るネットワークスキャナ装置１００では、読み取り画像の出力インターフェースとして、ネットワーク１０８が接続されている。
ネットワークスキャナ装置１００において読み取られ（読み込まれ）た原稿の画像データは、ネットワーク１０８を介してＰＣ端末装置１０９へ配信（送信）可能となっている。
【００１４】
ＣＰＵ１０１は、ＲＯＭ１０２に格納されている各種プログラムに基づいて、ネットワークスキャナ装置１００の各部を制御する。そして、ネットワークスキャナ装置１００としての基本動作処理を実行するとともに、特定設定の登録、特定設定の記憶、特定設定の読み出しなど特定設定に関する処理を実行する。
ＲＯＭ１０２は、ネットワークスキャナ装置１００の基本処理プログラム、後述する１クリックスタートキー２０３を利用する特定設定に関するプログラム、およびこれらの各処理を実行する際に必要な各種データを格納している。
ＲＡＭ１０３は、ＣＰＵ１０１のワークメモリとして利用され、ネットワークスキャナ装置１００の動作制御を行う上で必要な各種データ、デジタル画像データ、特定設定の登録処理で登録された特定の画像読み取り条件および特定の宛先情報、複数の送信先情報（アドレス帳）等を格納する記憶手段として機能する。
なお、ＲＡＭ１０３は、これらのデータを格納することが可能な十分な記憶領域を備えている。
【００１５】
図２は、操作部１０４の概略構成を示した図である。
図２に示すように、操作部１０４は、スタートキー２０４、ストップキー、テンキー等の各種キーおよび小型の表示部２０２を備えている。さらに、本実施の形態に係るネットワークスキャナ装置１００では、この操作部１０４に１クリックスタートキー２０３が設けられている。この１クリックスタートキー２０３は、専用ボタンとして機能する。
表示部２０２には、各種メニュー画面、エラー表示、指示表示だけでなく、後述する１クリックスタートキー２０３に割り付けられた特定の読み取り条件の設定情報、および特定の宛先（送信先）情報が表示される。
【００１６】
図１の説明に戻り、画像読み取り部１０５は、ＣＰＵ１０１の制御下で、読み取り面にセットされた原稿を主走査・副走査させて読み取るスキャナ装置である。
画像処理部１０６は、画像読み取り部１０５で読み取られた画像データに各種の画像処理（例えば、画像を明るくしたり、暗くしたり等の処理）を施す。
ネットワークＩ／Ｆ１０７は、ＣＰＵ１０１の制御下で、ＰＣ端末装置１０９との間での各種コマンドおよび通信制御信号のやりとり等を制御する。
【００１７】
ＰＣ端末装置１０９は、例えば、汎用のパーソナルコンピュータ等が用いられ、装置本体、ディスプレイ、キーボード、マウス等を備えている。
ＰＣ端末装置１０９は、ネットワーク１０８に接続され、ネットワーク１０８を介してネットワークスキャナ装置１００との間で各種コマンド、通信制御信号および各種データ等をジョブデータとして送信する。
また、ＰＣ端末装置１０９は、ネットワークスキャナ装置１００から送信される原稿の画像データを受信する。
【００１８】
次に、このような構成を備えたネットワークスキャナ装置１００における基本的な動作について説明する。
ネットワークスキャナ装置１００は、ユーザによりセットされた原稿の画像を画像読み取り部１０５で読み取る。なお、画像読み取り部１０５による読み取り条件（原稿サイズ、色モード、解像度など）は、操作部１０４を介してユーザによって入力される。
画像読み取り部１０５において読み取られた原稿の画像データは、画像処理部１０６へ転送され、そこで所定の画像処理が施されデジタル画像データが生成される。
画像処理部１０６で生成されたデジタル画像データは、ネットワークＩ／Ｆ１０７へ送られる。
そして、ネットワークスキャナ装置１００は、原稿のデジタル画像データを操作部１０４を介してユーザによって入力された任意のＰＣ端末装置１０９の宛先へ、ネットワーク１０８を介して配信（送信）する。
【００１９】
本実施の形態に係るネットワークスキャナ装置１００には、１クリックスタート機能が搭載されている。
１クリックスタート機能とは、予め１クリックスタートキー２０３に割り付けられている特定の画像読み取り条件および特定の宛先情報に基づいて、原稿画像の読み取り処理および送信処理を自動的に行う機能である。
１クリックスタート機能を利用して原稿の画像データを送信する場合には、予め１クリックスタートキー２０３に特定の画像読み取り条件および特定の宛先情報を登録する必要がある。
【００２０】
ここで１クリックスタートキー２０３に特定の画像読み取り条件および特定の宛先情報を登録する方法について説明する。
はじめに、操作部１０４における設定キーを押下して表示部２０２に設定メニューを表示させる。
表示された設定メニューから「１クリックスタート設定」を選択し、宛先（送信）登録画面を表示させる。
そして、１クリックスタートキーに割り当てる送信先（宛先）の情報、即ち特定の宛先情報を操作部１０４から入力する。
なお、送信先（宛先）の情報としては、メールアドレス、ＩＰアドレス、ＭＡＣアドレス等がある。
【００２１】
また、送信先の登録は、ＲＡＭ１０３に格納されている予め登録されているアドレス帳を読み出し（呼び出し）て表示し、このアドレス帳から宛先を選択指定できるようにしてもよい。
アドレス帳からの選択指定が行われた場合、ネットワークスキャナ装置１００は、その選択を受け付け、受け付けられた宛先の情報を特定の宛先情報と認識し、１クリックスタートキー２０３に割り付ける。
【００２２】
アドレス帳を利用することにより、１クリックスタートキー２０３の割り付け処理（設定・変更処理）を容易に行うことができるため、ユーザの利便性を向上させることができる。
なお、１クリックスタートキー２０３に割り付け可能な送信先は、１件に限定されるものではなく、複数の宛先（送信先）を割り付けるようにしてもよい。
複数の宛先（送信先）を１クリックスタートキー２０３に割り付ける場合に、例えば、全社員、全部署員単位で行うと、連絡文書の回覧などを容易に行うことができる。
【００２３】
次に、１クリックスタートキー２０３に割り当てる読み取り条件の情報、即ち特定の読み取り条件情報を操作部１０４から入力する。
この特定の読み取り条件の設定では、原稿画像を読み取る際の諸条件、例えば、原稿サイズ、色モード（色数）、解像度、色補正の種類、中間調処理の有無、ドロップアウトカラーの指定、濃度補正（γ補正）の有無などを入力あるいは選択指定する。
ネットワークスキャナ装置１００は、操作部１０４から入力された１クリックスタートキー２０３に割り当てる特定の宛先情報および特定の読み取り条件情報（読み取り設定情報）をＲＡＭ１０３に格納する。
【００２４】
次に、本実施の形態に係るネットワークスキャナ装置１００における原稿画像の配信処理動作について説明する。
図３は、本実施の形態に係るネットワークスキャナ装置１００における原稿画像の配信処理動作の手順を示したフローチャートである。
ユーザによってネットワークスキャナ装置１００の原稿台に原稿がセットされると、ネットワークスキャナ装置１００は、原稿台に原稿がセットされたことを検知する。
次に、ネットワークスキャナ装置１００は、操作部１０４における１クリックスタートキー２０３が押下されたか否かを判断する（ステップ１１）。
【００２５】
ユーザが操作部１０４における設定キーを押下した場合、即ち１クリックスタートキー２０３の押下が検知されない場合（ステップ１１；Ｎ）、ネットワークスキャナ装置１００は、操作部１０４からユーザによる読み取り条件の入力がなされたか否かを判断する（ステップ１２）。
ユーザによる読み取り条件の入力がなされた場合、即ちユーザによる読み取り条件の入力が検知された場合（ステップ１２；Ｙ）、ネットワークスキャナ装置１００は、この読み取り条件の入力を受け付け、現在設定されている読み取り条件またはデフォルトの条件（初期条件）の設定を変更する（ステップ１３）。
【００２６】
一方、ユーザによる読み取り条件の入力がなされない場合、即ちユーザによる読み取り条件の入力が検知されない場合（ステップ１２；Ｎ）、ネットワークスキャナ装置１００は、操作部１０４からユーザによる宛先（送信先）の入力がなされたか否かを判断する（ステップ１４）。
ユーザによる宛先（送信先）の入力がなされない場合、即ち宛先（送信先）の入力が検知されない場合（ステップ１４；Ｎ）、ネットワークスキャナ装置１００は、エラー表示「宛先を入力してください」を操作部１０４の表示部２０２に表示し（ステップ１５）、ステップ１４の処理へ戻る。
ユーザによる宛先（送信先）の入力がなされた場合、即ち宛先（送信先）の入力が検知された場合（ステップ１４；Ｙ）、ネットワークスキャナ装置１００は、この宛先（送信先）の入力を受け付け、原稿画像データの送信先に設定する。
【００２７】
次に、ネットワークスキャナ装置１００は、操作部１０４における通常のスタートキー２０４が押下されたか否かを判断する（ステップ１６）。
スタートキー２０４が押下されない場合、即ちスタートキー２０４の押下が検知されない場合（ステップ１６；Ｎ）、ネットワークスキャナ装置１００は、そのままスタートキー２０４が押下されるのを待つ状態（待機状態）を維持（保持）する。
【００２８】
スタートキー２０４が押下された場合、即ちスタートキー２０４の押下が検知された場合（ステップ１６；Ｙ）、および、ステップ１１の処理において、ユーザが操作部１０４における１クリックスタートキー２０３を押下した場合、即ち１クリックスタートキー２０３の押下が検知された（ステップ１１；Ｙ）、ネットワークスキャナ装置１００は、画像読み取り部１０５においてセットされた原稿の読み取りを開始する（ステップ１７）。
なお、１クリックスタートキー２０３の押下が検知された場合には、予め設定（登録）されている特定の読み取り条件に基づいて原稿の読み取り処理が行われる。
この時、操作部１０４の表示部２０２は、読み取り条件の設定情報や宛先（送信先）の情報を表示する。１クリックスタートキー２０３の設定内容を表示部２０２に表示することにより、ユーザは設定内容を容易に視覚的に確認することができる。
【００２９】
そして、ネットワークスキャナ装置１００は、読み取った原稿画像に対して指定された画像処理を画像処理部１０６において施した後、指定（設定）された宛先（送信先）へ原稿の画像データをネットワーク１０８を介して配信し（ステップ１８）、処理を終了する。
なお、ステップ１２においてユーザからの読み取り条件の入力が検知されない場合（ステップ１２；Ｎ）、読み取り条件はデフォルトの条件（初期条件）の設定のままで処理を続行する。
【００３０】
このように本実施の形態によれば、１クリックスタート機能を用いることにより、特定の読み取り条件に基づく原稿の読み取り処理、および特定の宛先情報を送信先に指定して読み取った原稿画像データを送信する処理を、ユーザは、一度（１回）のキー操作のみでネットワークスキャナ装置１００に実行させることができる。
これにより、画像データの配信時において、煩わしい読み取り条件や宛先（送信先）情報の入力処理を省くことができるため、ユーザの利便性を向上させることができる。
【００３１】
特に、ネットワークスキャナ装置１００をある特定のユーザのみが頻繁に利用する環境においては、ネットワークスキャナ装置１００の１クリックスタートキーの割り付け設定を、利用頻度の高い特定ユーザに合わせた設定とすることにより、頻繁に利用するユーザの作業効率を向上させることができる。
また、上述した頻繁に利用する特定のユーザ以外の通常ユーザは、通常のスタートキー２０４を利用することができるため、誤操作防止のエラー表示などの通常のシーケンスを利用することができる。
従って、頻繁に利用する特定ユーザの作業効率を向上させても、通常ユーザが誤操作し易くなるというようなデメリットをもたらすことはない。
【００３２】
本実施の形態では、操作部１０４における１クリックスタートキー２０３を一度押下（１クリック）することにより、１クリックスタート機能の利用が可能となるように設定されているが、１クリックスタート機能を有効にさせる方法は、これに限定されるものではない。
１クリックスタートキー２０３の誤操作、即ち、１クリックスタート機能を誤って利用してしまうことを防止するために、例えば、１クリックスタートキー２０３をダブルクリックした場合にのみ１クリックスタート機能を有効にさせるように設定してもよい。
このように設定することにより、原稿画像データの誤配信（誤送信）を防止することができる。
【図面の簡単な説明】
【００３３】
【図１】本実施の形態に係るネットワークスキャナ装置の概略構成および接続形態の一例を示した図である。
【図２】操作部の概略構成を示した図である。
【図３】本実施の形態に係るネットワークスキャナ装置における原稿画像の配信処理動作の手順を示したフローチャートである。
【符号の説明】
【００３４】
１００  ネットワークスキャナ装置
１０１  ＣＰＵ
１０２  ＲＯＭ
１０３  ＲＡＭ
１０４  操作部
１０５  画像読み取り部
１０６  画像処理部
１０７  ネットワークＩ／Ｆ
１０８  ネットワーク
１０９  ＰＣ端末装置
２０２  表示部
２０３  １クリックスタートキー
２０４  スタートキー
【図１】
2007068053.tif 000003
【図２】
2007068053.tif 000004
【図３】
2007068053.tif 000005